(57)【要約】【課題】長手方向に、直径が一定な細長ポンポンや、直径が異なる細長ポンポンを得る。【解決手段】２本以上の平行な毛糸巻き付け棒を着脱自在な状態で固定片で固定したくしの刃状の治具を作成し、さらに同治具の毛糸巻き付け棒の自由端にも着脱自在な別の固定片の取り付けを可能にした。【選択図】図１
2004019086.tif 000002
【特許請求の範囲】
【請求項１】
ほぼ平行に並べられた２本以上の棒のそれぞれ同じ側の片端が着脱自在な状態で固定片に固定された、くしの歯状の細長ぽんぽん作成用治具。
【請求項２】
請求項１の特許請求範囲にあって、棒の自由端同士が相互に平行を保った状態で、着脱自在な別の固定片で固定された、細長ぽんぽん作成用治具。
【発明の詳細な説明】
【０００１】
【発明の属する技術分野】
本発明は、毛糸を用いた細長ぽんぽんを作成する治具に関するものである
【０００２】
【従来の技術】
細長ポンポンを作成する場合、できあがった球形ポンポンを繋いでいく方法があるが、個々の球形ポンポンを作るのに手間がかかるため、これに代わる手段として、コの字型の治具を用いる方法がしばしば採用される。
【０００３】
以下にコの字型の治具を用いた細長ポンポン作成方法を図を用いて説明する。
【０００４】
図２はコの字型治具２に毛糸３を８ターン巻き付けたところである。
【０００５】
つぎに、図３に示すようにこの毛糸の中央部を、束ね用糸４できつく束ねると、毛糸束３−１ができる。
【０００６】
つぎに、図４に示すように前回に引き続き、コの字型治具２に、毛糸３をさらに８ターン巻き付け、束ね用糸４で束ねると、毛糸束３−１と繋がった毛糸束３−２ができる。
【０００７】
つぎに、上記の束のうち３−１の束のコの字型治具の外端に接する部分のループをはさみで切断し、さらに８ターン毛糸を巻き付け、束ね用糸４で束ねると、毛糸束３−１、３−２、３−３が連続した状態で束ねらる。ここで、最初の束はループが切断されているので、図５に示すように１部がポンポン状になっている。
【０００８】
この動作を繰り返していき、最後に残ったループを切断すると、図６に示すように、コの字型治具２の内部に細長のポンポンができあがる。
【０００９】
【発明が解決しようとする課題】
しかし、ここに示したコの字型治具を用いて細長ポンポンを作成する場合、治具の毛糸巻き付け部の付け根側は開放されていないので、ポンポン状にでき上った部分の束は、作成中に治具から取り除くことが困難で、長いポンポンを作るには、巻き付け部の長いコの字型治具が必要となる。
【００１０】
コの字型治具の毛糸巻き付け部が長いと、巻き付け時に先端がしなりやすく、一定した形のポンポンが作りにくい。
【００１１】
また、コの字型治具は全体の幅が一定なので、糸を束ねるとき、端部の糸が滑りにくいため、束ねにくいという欠点もある。
【００１２】
さらに、コの字型治具の幅が固定されていると、たとえば『人参』のような、長手方向に直系の異なるポンポンを作成する場合は、幅の異なった治具につけ替える必要があり、作業に手間がかかり、かつ難しい。
【課題を解決するための手段】
【００１３】
本発明では、かかる欠点を排除するために、２本以上の棒状の毛糸巻つけ部を用意し、それらの片端を棒が相互にほぼ平行を保ち、かつ着脱自在な状態で治具に固定した。
【００１４】
また各棒の自由端を着脱自在な別の固定片で固定することにより、先端の撓みを防止し、長手方向にポンポンの直系が一定に保てるようにした。
【００１５】
【発明実施の形態】
本発明の実施形態を実施例に基づき、図を用いて説明する。
【００１６】
図７は、本発明による治具の一例である。
【００１７】
図７において、１−１、１−２は毛糸巻き付け棒で、穴５の開いた固定片６に止めねじ７で固定されている。
【００１８】
先ず、この治具に図８に示すように毛糸３を８ターン巻き付ける。
【００１９】
つぎに、巻き付けた毛糸３を図９に示すように束ね用糸４で束ねると、毛糸束３−１ができあがる。
【００２０】
このとき、巻き付け棒を真鍮のような滑りやすくかつ撓みやすい材質で作っておくと、巻かれた毛糸３は容易に移動して、束ね用糸４できつく束ねられる。
【００２１】
つぎに、図１０に示すように、束ねられた毛糸３−１の巻き付け棒の自由端側に、引き続き毛糸３をさらに８ターン巻き付け束ね用糸４で束ねると、毛糸束３−２が３−１と連接して、きつく束ねられる。
【００２２】
図１１はこの巻き付けと束ねの動作を５回繰り返し、棒の自由先端近くまで毛糸が巻き付けられた状態を示す。
【００２３】
この状態で、止めねじ７をゆるめ、巻き付け棒の固定端を固定片６の穴５から外し、束ねられた毛糸を徐々に外しながらその都度ループを切断していくと、次第に細長ポンポンができてくる。全ての束を取り外し、ループを切断すると、毛糸８ターンを５回即ち４０ターン分の細長ぽんぽんができる。ここでさらに長いポンポンを作る場合、図１２に示すように、最後の束３−５を巻き付け棒１−１、１−２に残したまま、再度、巻き付け棒１−１、１−２を固定片６に取り付け、毛糸束３−５を巻き付け棒の固定側の根本までずらし、引き続き毛糸巻き付けと束ねの動作を繰り返し、最後に全てのループを切断すると、何ターン分もの細長ポンポンができあがる。
【００２４】
巻き付け糸を２色用いると、猫のしっぽのようなポンポンも作成可能である。
【００２５】
本実施例では、各棒の自由端は常に解放された状態であるが、毛糸巻き付けの力が強く、かつループ切断の前に巻き付け・束ねの繰り返しが多い場合、１対の棒の先端が次第に狭まってくる。これを防止するために、毛糸巻き付け棒の自由端を相互に着脱自在な別の固定片で、毛糸巻き付けの都度固定しておくと、巻き付け間隔が常に一定に保たれ、安定した形状の細長ポンポンが得られる。図１−８は自由端固定片の一例である。
【００２６】
つぎに別の実施例として、クリスマスツリーの本体である、コーン状の緑の部分の作成例を示す。
この場合、図１に示すような、多数の巻き付け棒が取り付け可能な治具を用意する。
【００２７】
最初に先ず、図１３のように、固定片のほぼ中央部に、２本の巻き付け棒１−１、１−２を１４ｍｍ離して取り付け、それに太めの緑色の毛糸を６ターン巻き付けて束ね、この動作をさらにもう１度繰り返す。
【００２８】
つぎに図１４に示すように、最初の巻き付け棒１−１、１−２、の両外側に、相互に２８ｍｍ離れるように、巻き付け棒１−３、１−４を固定片６に付加して固定し、この対の巻き付け棒にも毛糸を８ターンずつ２回巻き付け、それぞれを、束ね用糸４で束ねる。
【００２９】
つぎに図１５に示すように、巻き付け棒１−３、１−４、の両外側に、相互に４２ｍｍ離れるように、巻き付け棒１−５、１−６を固定片に付加して固定し、この対の巻き付け棒に対しても毛糸を１６ターンずつ２回巻き付け、それぞれを、束ね用糸４で束ねる。
【００３０】
以下同様にして巻き付け棒を順次付加し、５６ｍｍ離して２５ターンを２回、７０ｍｍ離して３６ターンを２回巻き付け、それぞれを束ね糸で束ね、つぎに止めねじをゆるめ、巻き付け棒を順次固定片から外しながら各束のループの部分を切断すると、コーン状の緑のツリー本体ができる。
【００３１】
なお、この例で、巻き付け棒が短くて、毛糸が巻き付け棒に巻き切れないことが有り得る。この場合は、前回の細長ポンポンの例のように、途中で、巻き付け棒から束の１部を外し、次の巻き付け前に、ループ切断を行っても差し支えない。
【００３２】
最終的に、巻き付けが終わり、ループが切断された状態では、コーンの形状がいびつな場合が多いが、全体を、手で揉みながら毛糸の飛び出た部分をはさみで切断するとともに、束ね用糸の端末部を使い、コーンの底に厚紙の円盤１１を取り付けると、コーンの形状はさらに整ってくる。
【００３３】
なお、本実施例で、束ね用糸４の初めの部分を予め長くしておくと、できあがったツリー本体は束ね用糸でぶらさげることができる。この状態で、回りに丸玉の付いたラメ糸９や、星１０などを付加すると、図１６に示すようなツリーが完成する。
【００３４】
【発明の効果】
以上説明してきたように本発明により、次に示す効果が得られる。
【００３５】
固定片に着脱自在な状態で平行に固定された２本の毛糸巻き付け棒に、毛糸を巻き付け、束ね糸で固定する動作を２回以上繰り返し、固定片から巻き付け棒を外し、巻き付けた毛糸を外しながらループを切断していくと、細長ポンポンが容易に作れる。
【００３６】
なお、２色の毛糸を用い、周期的に変えていくと、猫のしっぽのようなポンポンの作成も可能である。
【００３７】
さらに、平行な巻き付け棒を順次両外側に付加しつつ、その都度各対に毛糸の巻き付けと束ね・切断を繰り返てしいくと長手方向に直系の異なる細長ポンポンとなり、ニンジン・大根・クリスマスツリーのような、コーン状の物体も作成可能である。これをさらに発展させ、巻き付け棒の対の間隔を増減させると、人形や、ひょうたん、鳥なども得られる。
【００３８】
さらに、図１７のように、巻き付けた糸の束ねの位置をずらすと、中心のずれたポンポンとなり、はりねずみのような胴体なども得られる。
【００３９】
この治具ではもちろん球形ポンポンを作成すことも可能である。球形ポンポンの場合従来の方法に比べ、巻き付けが安定して早く行なえるのみならず、毛糸の滑りがよいので巻き付け後の束ね作業も容易である。
【図面の簡単な説明】
【図１】本発明による、細長ポンポン作成用治具と自由端撓み防止用固定片の立体図である。
【図２】従来のポンポン作成用コの字型治具に１束目になる毛糸を巻き付けた図である。
【図３】図２の毛糸束を束ね用糸で束ねた図である。
【図４】図３に引き続き、２束目の毛糸を治具に巻き付け、同じ束ね用糸で束ねた図である。
【図５】図４に引き続き、最初の束の治具の外端に接する部分のループをはさみで切断するとともに、さらに３束目の毛糸を治具に巻き付け、同じ束ね用糸で束ねた図である。
【図６】順次５束目までの毛糸を治具に巻き付け、同じ束ね用糸で各束を順次束ね、ループを切断して、できあがった細長ポンポンが治具内に納まっている図である。
【図７】巻き付け棒２本を用いた本発明にによる治具の図である。
【図８】図７に毛糸を８ターン巻き付けた図である。
【図９】図８で巻き付けた毛糸を、束ね用糸できつく束ねた図である。
【図１０】図９に引き続き、さらに８ターン毛糸を巻き付け、同じ束ね用糸で束ねた図である。
【図１１】巻き付け棒２本からなる治具に毛糸を８ターン巻き付けては束ね用糸で束ねる動作を５回繰り返した図である。
【図１２】図１１の４束目までのループ部を切断し、５束目を巻き付け棒の固定部までずらした状態を示す。
【図１３】多数の巻き付け棒が着脱できる固定片の中央に近い部分に巻き付け棒２本を取り付け、毛糸を６ターン巻き付けては束ね用糸で束ねる動作を２回繰り返した図である。
【図１４】図１３の外側に巻き付け棒を付加し、その付加した巻き付け棒にも８ターンの毛糸巻き付けと束ねの動作を２回施した図である。
【図１５】図１４の外側にさらに巻き付け棒を付加し、その付加した巻き付け棒にも１６ターンの毛糸巻き付けと束ねの動作を２回施した図である。
【図１６】図１５の外側とさらにその外側に毛糸巻き付け棒を付加し、各々の巻き付け棒に対しても毛糸の巻き付けと束ねを２回ずつ行った後、巻き付け棒を固定治具から外し、各束のループを切断し、糸の端部の乱れた部分を切断調整し、さらに飾り糸・星・底部円盤を取り付けた図である。
【図１７】はりねずみの胴体のような異形ポンポンを得るために、巻き付けた糸を中心からずらして束ねた例である。
【符号の説明】
１，１−１〜１−６．　毛糸巻き付け棒
２．　　　　　　　　　コの字型治具
３．　　　　　　　　　毛糸
３−１〜３−６．　　　毛糸束
４．　　　　　　　　　毛糸束ね用糸
５．　　　　　　　　　毛糸巻き付け棒導入穴
６．　　　　　　　　　毛糸巻き付け棒固定片
７．　　　　　　　　　毛糸巻き付け棒固定ねじ
８．　　　　　　　　　毛糸巻き付け棒自由端固定片
９．　　　　　　　　　丸玉付きラメ糸
１０．　　　　　　　　　星
１１．　　　　　　　　　ツリー底部厚紙円盤
【図１】
2004019086.tif 000003
【図２】
2004019086.tif 000004
【図３】
2004019086.tif 000005
【図４】
2004019086.tif 000006
【図５】
2004019086.tif 000007
【図６】
2004019086.tif 000008
【図７】
2004019086.tif 000009
【図８】
2004019086.tif 000010
【図９】
2004019086.tif 000011
【図１０】
2004019086.tif 000012
【図１１】
2004019086.tif 000013
【図１２】
2004019086.tif 000014
【図１３】
2004019086.tif 000015
【図１４】
2004019086.tif 000016
【図１５】
2004019086.tif 000017
【図１６】
2004019086.tif 000018
【図１７】
2004019086.tif 000019